(57)【要約】【課題】障害が生じる以前の接点情報を保持する。【解決手段】放送システムは、送信装置２０、中継装置３０及び受信装置４０を具備する。送信装置２０は、接点信号を所定周期で反転させて符号化する多重器２１を有する。中継装置３０で接点信号の異常を検出されると、変調器３４が所定のレベルに固定された信号を生成する。受信装置４０は、接点信号を復号して前記所定の周期で反転させる分離器４４を有し、分離器４４は、接点信号が入出力する保護回路を備える。保護回路は、入力する接点信号の信号レベルの変化が、該所定周期よりも長い期間連続しない場合は、出力する接点信号の信号レベルを変化させない。【選択図】      図１
2011029776.tif 000002
【特許請求の範囲】
【請求項１】
放送波の送信所に設置された接点から接点信号を取得して送信する送信装置と、
前記送信装置から送信される接点信号の伝送を中継する中継装置と、
前記中継装置によって中継される接点信号を受信する受信装置を具備する放送システムであって、
前記送信装置は、
前記接点信号を所定周期で反転させて符号化する符号化手段と、
前記符号化された接点信号を前記中継装置に送信する第１の送信手段を具備し、
前記中継装置は、
前記第１の送信手段から送信された接点信号を受信する第１の受信手段と、
前記第１の受信手段で受信された接点信号の異常を検出する検出手段と、
前記検出手段が異常を検出しない場合は、前記接点信号を前記受信装置に送信し、前記検出手段が異常を検出した場合は、所定のレベルに固定された信号を接点信号として前記受信装置に送信する第２の送信手段を具備し、
前記受信装置は、
前記第２の送信手段から送信された接点信号を受信する第２の受信手段と、
前記第２の受信手段で受信された接点信号を復号して前記所定の周期で反転させる復号手段と、
前記復号手段から入力する前記接点信号を出力する保護手段であって、前記接点信号の信号レベルの変化が前記所定の周期よりも長い期間連続する場合には当該信号レベルの変化を出力し、前記接点信号の信号レベルの変化が前記所定の周期よりも長い時間連続しない場合は出力信号レベルを保持して当該信号レベルの変化を出力しない保護手段を具備する放送システム。
【請求項２】
前記放送システムは、前記中継装置を複数具備する、請求項１に記載の放送システム。
【請求項３】
前記検出手段は、前記接点信号のビット誤り率に基づいて、前記送信装置と前記中継装置の間の放送波回線の異常を検出する、請求項１に記載の放送システム。
【請求項４】
前記検出手段は、前記接点信号の信号レベルに基づいて、前記送信装置と前記中継装置の間の伝送回線の異常を検出する請求項１に記載の放送システム。
【請求項５】
前記送信装置は、前記符号化手段によって符号化された接点信号を複数のトランスポートストリームと多重化して１つのトランスポートストリームとする多重化手段を更に具備し、前記第１の送信手段は前記１つのトランスポートストリームを前記中継装置に送信する請求項１に記載の放送システム。
【請求項６】
前記検出手段が異常を検出した場合は、信号レベルがゼロに固定されたオールゼロ信号が接点信号として前記受信装置に送信される請求項１に記載の放送システム。
【請求項７】
前記保護手段からの出力は、前記放送波の放送局において監視される請求項１に記載の放送システム。
【発明の詳細な説明】
【技術分野】
【０００１】
本発明は、送信所と中継局の間で回線や機器の障害が生じても、障害が生じる以前の接点情報を保持できる放送システムに関する。
【背景技術】
【０００２】
スタジオから送信所へ放送信号を送信して放送が行われる放送システムにおいては、この送信所の送信装置の動作状況をスタジオから監視又は制御するために監視・制御回線が設けられている。
【０００３】
この監視・制御回線は、演奏所（スタジオ）と送信所の間で信号を伝送する回線であり、主にマイクロ波を使ったベースバンド伝送方式が用いられている。送信所は一般にスタジオから遠方に設けられており、スタジオ側から遠隔監視制御されている。送信所には複数の監視制御対象点（接点）があり、それぞれオープンとクローズの２つの状態を取り得る。この接点の情報は演奏所へ送信され、演奏所ではこの接点情報を参照して送信所の状態を監視している。
【０００４】
スタジオと送信所の間に回線に断絶が生じたり、送信所の機器に異常が生じたりすると、各接点の状態に変化が無くとも、スタジオで受信する信号の状態が変化し、誤った接点情報が検出されるおそれがある。
【０００５】
特許文献１には、伝送路障害発生中に接点が回復した場合でも、接点回復の警報表示を行う警報情報管理システムが開示されている。特許文献１に記載の警報情報管理システムでは、第１、第２の現在状態メモリと変化記録メモリが接点得警報情報管理装置に設けられ、第１および第２の現在状態管理メモリの状態変化が発生した場合、状態変化メモリにその旨を記録し、警報表示ユニットに状態変化を表示する。
【先行技術文献】
【特許文献】
【０００６】
【特許文献１】特開平１１−１２０４６５号公報（段落００２４、図１）
【発明の概要】
【発明が解決しようとする課題】
【０００７】
しかしながら、特許文献１に記載の警報情報管理システムでは、第１と第２の現在状態メモリ及び、現在状態管理メモリ等複数のメモリを設ける必要がある。このため装置構成を複雑化する。また、この警報情報管理システムでは、状態変化後の接点状態が接点警報情報管理装置に伝達されるが、回線や機器に障害が生じている間に、障害が生じる以前の接点情報を伝達することはできない。
【０００８】
本発明は、前記のような問題に鑑みなされたもので、障害が生じる以前の接点情報を保持できる放送システムを提供することを目的とする。
【課題を解決するための手段】
【０００９】
本発明の一実施形態に係る放送システムは、送信所に設置された機器からその機器の状態監視の接点信号を取得して送信する送信装置と、前記送信装置から送信される接点信号の伝送を中継する中継装置と、前記中継装置によって中継される接点信号を受信する受信装置を具備する放送システムであって、前記送信装置は、前記接点信号を所定周期で反転させて符号化する符号化手段と、前記符号化された接点信号を前記中継装置に送信する第１の送信手段を具備し、前記中継装置は、前記第１の送信手段から送信された接点信号を受信する第１の受信手段と、前記第１の受信手段で受信された接点信号の異常を検出する検出手段と、前記検出手段が異常を検出しない場合は、前記接点信号を前記受信装置に送信し、前記検出手段が異常を検出した場合は、所定のレベルに固定された信号を接点信号として前記受信装置に送信する第２の送信手段を具備し、前記受信装置は、前記第２の送信手段から送信された接点信号を受信する第２の受信手段と、前記第２の受信手段で受信された接点信号を復号して前記所定の周期で反転させる復号手段と、前記復号手段から入力する前記接点信号を出力する保護手段であって、前記接点信号の信号レベルの変化が前記所定の周期よりも長い期間連続する場合には当該信号レベルの変化を出力し、前記接点信号の信号レベルの変化が前記所定の周期よりも長い時間連続しない場合は出力信号レベルを保持して当該信号レベルの変化を出力しない保護手段を具備する。
【発明の効果】
【００１０】
本発明の一実施形態に係る放送システムによれば、接点信号に異常が生じて、接点信号の信号レベルが所定のレベルに固定されても、復号手段が信号を所定周期で反転する。保護回路は、入力信号レベルの変化が反転の周期よりも長い期間連続しない場合には、出力信号レベルを変化させない。このため、回線や機器の障害によって接点信号に異常が生じても、障害が生じる以前の接点情報を保持できる。
【図面の簡単な説明】
【００１１】
【図１】本発明の一実施形態に係る放送システムの概略構成を示す図。
【図２】送信装置の多重器及び受信装置の分離器の構成の詳細を示す図。
【図３】保護回路に入出力する信号の一例を示す図。
【図４】送信装置と受信装置の間で伝送される接点情報の一例を示す図。
【図５】送信装置で符号化され受信装置で復号される接点情報の一例を示す図。
【発明を実施するための形態】
【００１２】
以下、図面を参照して本発明による放送システムの実施の形態を説明する。
【００１３】
図１は、本発明の一実施形態に係る放送システムの概略構成を示す図である。
【００１４】
この放送システムには、送信所に送信装置２０が備えられており、演奏所（スタジオ）に受信装置４０が備えられている。送信所とスタジオの間には中継局が設けられ、当該中継局には、中継装置３０が備えられている。送信装置２０と中継装置３０、及び中継装置３０と受信装置４０の間では、マイクロ波を使ったベースバンド伝送方式によって信号の伝送が行われる。
【００１５】
送信所には、監視対象となる機器の接点が複数備えられており、それぞれの接点の情報はスイッチＳ１〜Ｓｎ（ｎは任意の自然数）の開閉状態によって表される。接点情報は送信装置２０に送られる。
【００１６】
送信装置２０は、多重器２１、変調器２２、送信変換器２３及びアンテナ２４を備えている。
【００１７】
多重器２１は、図４に示すように、接点情報を１セットおきに反転させて符号化する。また多重器２１は、音声データを圧縮するエンコーダと符号化された接点情報とを多重化して１つのフレーム信号とする。多重化されたフレーム信号は、変調器２２に出力される。
【００１８】
変調器２２は、多重化されたフレーム信号のＱＡＭ変調（直交振幅変調）を行う。変調された信号は送信変換器２３に送られる。
【００１９】
送信変換器２３は、ＱＡＭ変調された信号をマイクロ波信号に変換する。マイクロ波信号はアンテナ２４から中継装置３０に送信される。
【００２０】
中継装置３０は、アンテナ３１、受信変換器３２、復調器３３、変調器３４、送信変換器３５及びアンテナ３６を備えている。
【００２１】
アンテナ２４から出力されたマイクロ波信号は、中継装置３０のアンテナ３１で受信され、受信変換器３２に送られる。
【００２２】
受信変換器３２は、マイクロ波信号をＱＡＭ変調された信号に変換する。変換された信号は、復調器３３に出力される。また受信変換器３２は受信信号のレベルを監視しており、信号レベルが低下するとＲＸアラーム信号を生成し、異常の発生を報知する。
【００２３】
復調器３３は、ＱＡＭ変調された信号を復調して、多重化されたフレーム信号の形式に戻す。多重化されたフレーム信号は変調器３４に送られる。また復調器３３は、復調された信号のビット誤り率（bit error rate:ＢＥＲ）を検出し、所定の閾値より大きいＢＥＲの値を検出したらＢＥＲアラーム信号を生成し、異常の発生を報知する。
【００２４】
変調器３４は、復調器３３から受け取ったフレーム信号を再びＱＡＭ変調する。変調された信号は送信変換器３５に送られる。変調器３４は、受信変換器３２及び／又は復調器３３からＲＸアラーム及び／又はＢＥＲアラームを受け取ったら、送信装置２０と中継装置３０との間で回線の異常又は機器の異常が生じたことを示すオールゼロ信号を生成して、送信変換器３５に送る。オールゼロ信号では、全ての信号値が０をとる。
【００２５】
送信変換器３５は、ＱＡＭ変調された信号をマイクロ波信号に変換する。マイクロ波信号はアンテナ３６から受信装置４０に送信される。
【００２６】
受信装置４０は、アンテナ４１、受信変換器４２、復調器４３及び分離器４４を備えている。
【００２７】
アンテナ３６から出力されたマイクロ波信号は、送信装置４０のアンテナ４１で受信され、受信変換器４２に送られる。
【００２８】
受信変換器４２は、マイクロ波信号をＱＡＭ変調された信号に変換する。変換された信号は、復調器４３に出力される。
【００２９】
復調器４３は、ＱＡＭ変調された信号を復調して、多重化されたフレーム信号の形式に戻す。多重化されたフレーム信号は分離器４４に送られる。復調器４３は、オールゼロ信号を検出したら、受信装置４０に備えられた受信監視制御板（図示せず）に通知する。
【００３０】
分離器４４は、多重化されたフレーム信号から、音声データ及び接点情報等を分離する。また分離器４４は、図４に示すように、多重器２１による接点情報の反転と同じ周期で（すなわち１セットおきに）、復号された接点情報を反転させる。復号された接点情報は、後段装置（図１の例ではリモートコントローラ５０）に出力される。
【００３１】
図１では、受信装置４０の後段に備えられる装置の一例として、リモートコントローラ５０が示されている。リモートコントローラ５０では、受信装置４０から送られる接点情報に基づいて、送信所の各接点の状態を監視することができる。接点情報に異常が生じた場合、リモートコントローラ５０の出力部に接点異常情報が出力され、スタジオにおいて接点情報の異常を確認することができる。
【００３２】
送信装置２０と中継装置３０の間の回線では、マイクロ波による信号の伝送が行われている。この回線に断裂が生じると、受信装置４０が正しい接点情報を受信できず、リモートコントローラ５０にも正しい接点情報が伝達されない。また、送信装置２０や中継装置３０に機器の異常が生じても、受信装置４０が正しい接点情報を受信できず、リモートコントローラ５０にも正しい接点情報が伝達されない。すなわち、各接点に異常が生じていないにもかかわらず、回線や機器の障害によって生じる変化を、接点状態の異常としてリモートコントローラ５０が検出してしまうことがある。
【００３３】
本実施形態による中継装置３０は、受信変換器３２が検出する受信信号レベルの低下、復調器３３が検出するビット誤り率（ＢＥＲ）の劣化によって障害の発生を検出することができる。障害の発生が検出されると、変調器３４からはオールゼロ信号が生成されて受信装置４０に伝達される。
【００３４】
このオールゼロ信号を受信しても、障害発生前の接点情報を受信装置４０で保持できるよう、本実施形態による多重器２１と分離器４４は、以下のような構成を有する。
【００３５】
図２は、送信装置２０の多重器２１及び受信装置４０の分離器４４の構成の詳細を示す図である。
【００３６】
多重器２１は、符号化基板（ＵＳＥＲ−Ｔ基板）２１１及び多重化部２１４を有する。
【００３７】
符号化基板２１１は、パラレル−シリアル変換部２１２と符号化回路２１３を含んでいる。パラレル−シリアル変換部２１２は、パラレル信号として多重器２１に入力する接点情報をシリアル信号に変換する。符号化回路２１３は、シリアル信号に変換された接点情報を符号化する。図４に示すように、符号化回路２１３では、接点情報を１セットおきに反転させて符号化する。
【００３８】
多重化部２１４は、接点情報と、エンコーダやサーバから出力された複数のフレーム信号とを多重化して１つのフレーム信号とする。
【００３９】
多重器２１において多重化されたフレーム信号は、送信装置２０から中継装置３０を介して受信装置４０に送信される。受信装置４０では、分離器４４によって多重化されたフレーム信号から接点情報が分離される。
【００４０】
分離器４４は、復号化基板（ＵＳＥＲ−Ｒ基板）４４１及び分離部４４５を有する。
【００４１】
分離部４４５は、受信した多重化フレーム信号を分離して、接点情報を復号化基板４４１に送る。
【００４２】
復号化基板４４１は、復号化回路４４２、シリアル−パラレル変換部４４３及び保護回路４４４を含んでいる。復号化回路４４２は、符号化回路２１３によって符号化された接点情報を復号する。符号化回路２１３は、１セットおきに接点情報を反転させて符号化しているため、復号化回路４４２は、復号化された接点情報を１セットおきに反転させて復元する。
【００４３】
保護回路４４４は、分離器４４の出力を保護するための回路であって、入力する接点情報に変化があっても、所定のビット数（例えば１６ビット）分連続しない変化は出力しない。すなわち保護回路４４４は、所定のパルス幅より短い入力パルスは出力させない。
【００４４】
図３は、保護回路４４４に入出力する信号の一例を示す図である。
【００４５】
図３に示すように、保護回路４４４に入力する信号がＨ→Ｌに変化すると、このＨ→Ｌが所定のビット数（例えば１６ビット：１ｍsecに相当）連続した後に、出力側がＨ→Ｌになる。同様に、保護回路４４４に入力する信号がＬ→Ｈに変化すると、このＬ→Ｈが所定のビット数（例えば１６ビット：１ｍ秒に相当）連続した後に、出力側がＬ→Ｈになる。すなわち、保護回路４４４では、入力信号のレベルの変化が所定のビット数以上連続したら、当該変化を出力する。
【００４６】
また、パルス幅が所定ビット数以下の入力信号は出力側には伝送されない。すなわち、パルス幅が所定ビット数以下である信号が入力しても、保護回路４４４ではそれ以前の出力信号が維持される。
【００４７】
このように保護回路４４４は、所定のビット数だけ同じ信号状態が連続しないと、入力信号に生じた変化を出力しない。また、保護回路４４４の入出力には、所定数のビット分の遅延時間が生じている。
【００４８】
保護回路４４４に設定される所定のビット数は、接点情報が伝送される伝送速度（単位：ｂｐｓ）や回路規模に基づいて定められる。汎用接点（３２接点）の伝送容量は６４ｋｂｐｓであり、１接点当り２ｋｂｐｓ（０．５ｍ秒）に相当する。
【００４９】
図４は、送信装置２０と受信装置４０の間で伝送される接点情報の一例を示す図である。図４では、１セットの接点情報に３２接点の状態（オープン又はクローズ）を表す信号が含まれる例が示されている。１セットの接点情報のパルス幅は、上述の保護回路４４４について定められた所定のビット数以下であるとする。
【００５０】
接点情報は、送信装置２０の送信監視制御板（図示せず）が提供するＦＲＭ信号に同期して送信される。図４に示す例では、２５０μ秒周期で無信号状態と有信号状態が繰り返されている。有信号状態では接点１から接点３２の各接点の状態を表す信号が順次配列されている。リモートコントローラ４０では、この接点情報を検出して各接点の状態を監視している。
【００５１】
図４に示すように、接点１から接点３２の各接点の状態を表す信号が、１セットとして有信号状態に現れ、所定の周期で有信号状態と無信号状態が繰り返されている。符号化基板２１１の符号化回路２１３は、この有信号状態の接点情報を１セットおきに反転させて符号化する。
【００５２】
図５は、送信装置２０で符号化され受信装置４０で復号される接点情報の一例を示す図である。
【００５３】
図５に示すように、接点情報が正常に伝送されている場合には、符号化回路２１３で１セットおきに反転して符号化された接点情報が、復号化回路４４２で復号されて１セットおきに反転して復元される。このため、後段のリモートコントローラ５０に接点情報を正しく伝達することができる。
【００５４】
回線が断絶したり、送信装置２０に異常が生じたりすると、符号化基板２１１でどのようなデータ状態であっても、中継装置３０においてアラーム信号が発生し、変調器３４はオールゼロ信号を出力する。このオールゼロ信号を復号化回路４４２において復号すると、図５に示すように、オールゼロ信号は１セットおきに反転される。
【００５５】
このため保護回路４４４には、上述の所定数ビット以下のパルス幅を有する信号が周期的に入力することになる。保護回路４４４では、パルス幅が所定数のビット以下の信号が入力しても、それ以前の出力信号が維持されるため、分離器４４からは回線断や装置の異常が生じる以前の接点情報が出力され続ける。従って、回線異常や装置異常等のためにアラーム信号が生成されても、分離器４４では異常が生じる以前の接点情報が出力される。
【００５６】
例えば復号化回路４４２が出力の反転を行わないとすると、オールゼロ信号が入力した場合に、当該オールゼロ信号が所定ビット数以上連続する。このため、保護回路４４４は連続するオールゼロ信号を接点情報として検出してしまい、リモートコントローラ５０に出力する。この結果、リモートコントローラ５０では、接点情報に変化が生じていないにも関わらず、オールゼロ信号を接点情報として認識してしまう。
【００５７】
このような事態を避けるため、本実施形態では、オールゼロ信号が入力されたとしても、復号化回路４４２によって所定の周期で信号を反転させている。所定のビット数以下のパルス幅を有する信号が入力されても保護回路４４４は、それ以前の出力を保持し続ける。このため、所定周期で反転したオールゼロ信号が保護回路４４４に入力しても、保護回路４４４はオールゼロ信号を認識せずに、障害発生以前の接点情報を出力し続ける。このため、回線や機器の異常が生じてオールゼロ信号が生成されても、後段のリモートコントローラ５０には異常が発生する前の接点情報が伝達される。
【００５８】
復号化回路４４２は、常に所定の周期で信号を反転させる。これに合わせて、符号化回路２１３では、復号時に元のデータに戻るように、接点情報の符号化の際にも所定の周期でデータを反転させる。
【００５９】
このようにして、正常時には正常な接点情報を伝送し、障害発生時にも発生以前の接点情報を伝達する放送システムが構築される。
【００６０】
なお上述の実施形態では、変調器３４はアラームに応じてオールゼロ信号を生成するとした。しかしながら、アラームに応じて変調器３４の出力がハイレベル又はローレベルの一方に固定されるように構成されてもよい。
【００６１】
図１には、送信装置２０と受信装置４０の間に１つの中継装置３０が設けられているが、送信装置２０と受信装置４０の間での放送波の伝送は、直列又は並列に設置された複数段の中継装置によって中継されてもよい。
【００６２】
上述の実施形態では、放送システムにおける接点情報の伝送の例について説明したが、本発明はこれに限定されない。遠隔地に設けられた電源装置やその他の監視対象の接点情報の監視のために、上記と同様のシステムが用いられてもよい。
【００６３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、１つの実施形態に示される全構成要件から幾つかの構成要件が削除されたり、幾つかの実施形態に示される構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００６４】
２０…送信装置、２１…多重器、２２…変調器、２３…送信変換器、２４…アンテナ、３０…中継装置、３１…アンテナ、３２…受信変換器、３３…復調器、３４…変調器、３５…送信変換器、３６…アンテナ、４０…受信装置、４１…アンテナ、４２…受信変換器、４３…復調器、４４…分離器、５０…リモートコントローラ。
【図１】
2011029776.tif 000003
【図２】
2011029776.tif 000004
【図３】
2011029776.tif 000005
【図４】
2011029776.tif 000006
【図５】
2011029776.tif 000007